【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
１の演出期間において、前記操作手段に対して予め定められた特定の操作内容の操作を行うことを促す演出態様を含む第１の演出態様を少なくとも含んで構成される所定の演出態様が複数回表示される特定演出を実行する特定演出実行手段と、
前記第１の演出態様の表示中に前記操作手段に対して前記特定の操作内容の操作が行われたかを判別する判別手段と、
その判別手段の判別結果に応じて、前記第１の演出態様の表示時間を少なくとも決定する表示時間決定手段と、
前記所定の演出態様の表示中に前記第１の演出態様の表示時間が終了したことに基づいて、当該所定の演出態様の一部として第２の演出態様を表示させることが可能な第２演出態様表示手段と、
１の前記特定演出において実行され得る全ての前記所定の演出態様が終了した後において、遊技者にとっての有利度合いを示すための所定の報知を行う報知手段と、
その報知手段による前記所定の報知の種別として、前記所定の演出態様が終了したタイミングに応じた種別を決定する報知種別決定手段と、を備え、
前記表示時間決定手段は、
前記特定演出における所定のタイミングで実行された前記第１の演出態様の表示中に前記判別手段により前記特定の操作内容の操作が行われたと判別された状況下において、新たに表示させる前記第１の演出態様の表示時間として予め定められた第１表示時間を設定可能な手段と、
前記特定演出における所定のタイミングで実行された前記第１の演出態様の表示中に前記判別手段により前記特定の操作内容の操作が行われたと判別されなかった状況下において、新たに表示させる前記第１の演出態様の表示時間として前記第１表示時間よりも長い第２表示時間を設定可能な手段と、を備えたものであり、
前記所定の演出態様は、１の前記特定演出において表示され得る回数が前記特定演出の種別に応じて予め定められており、１の所定の演出態様に含まれる前記第１の演出態様の表示中に前記特定の操作内容の操作が行われたか否かによらず、前記１の所定の演出態様の表示が開始されてから終了されるまでの表示時間が共通となるように構成されており、
前記特定演出は、前記特定演出の開始後における経過時間が予め定められた上限時間になったことに基づいて終了されるように構成されており、
前記表示時間決定手段は、前回実行された前記特定演出における前記特定の操作内容の操作の実行状況に少なくともよらずに前記第１の演出態様の表示時間を決定可能に構成されていることを特徴とする遊技機。
【請求項２】
前記所定の演出態様を表示させることが可能な表示手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、遊技者が操作可能な操作手段と、１の演出期間において、前記操作手段に対して予め定められた特定の操作内容の操作を行うことを促す演出態様を含む第１の演出態様を少なくとも含んで構成される所定の演出態様が複数回表示される特定演出を実行する特定演出実行手段と、前記第１の演出態様の表示中に前記操作手段に対して前記特定の操作内容の操作が行われたかを判別する判別手段と、その判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、１の前記特定演出において実行され得る全ての前記所定の演出態様が終了した後において、遊技者にとっての有利度合いを示すための所定の報知を行う報知手段と、その報知手段による前記所定の報知の種別として、前記所定の演出態様が終了したタイミングに応じた種別を決定する報知種別決定手段と、を備え、前記表示時間決定手段は、前記特定演出における所定のタイミングで実行された前記第１の演出態様の表示中に前記判別手段により前記特定の操作内容の操作が行われたと判別された状況下において、新たに表示させる前記第１の演出態様の表示時間として予め定められた第１表示時間を設定可能な手段と、前記特定演出における所定のタイミングで実行された前記第１の演出態様の表示中に前記判別手段により前記特定の操作内容の操作が行われたと判別されなかった状況下において、新たに表示させる前記第１の演出態様の表示時間として前記第１表示時間よりも長い第２表示時間を設定可能な手段と、を備えたものであり、前記所定の演出態様は、１の前記特定演出において表示され得る回数が前記特定演出の種別に応じて予め定められており、１の所定の演出態様に含まれる前記第１の演出態様の表示中に前記特定の操作内容の操作が行われたか否かによらず、前記１の所定の演出態様の表示が開始されてから終了されるまでの表示時間が共通となるように構成されており、前記特定演出は、前記特定演出の開始後における経過時間が予め定められた上限時間になったことに基づいて終了されるように構成されており、前記表示時間決定手段は、前回実行された前記特定演出における前記特定の操作内容の操作の実行状況に少なくともよらずに前記第１の演出態様の表示時間を決定可能に構成されている。
【手続補正３】
【補正対象書類名】明細書
【補正対象項目名】０００７
【補正方法】変更
【補正の内容】
【０００７】
請求項２記載の遊技機は、請求項１記載の遊技機において、前記所定の演出態様を表示させることが可能な表示手段を備える。
【手続補正４】
【補正対象書類名】明細書
【補正対象項目名】００１１
【補正方法】変更
【補正の内容】
【００１１】
本発明の遊技機によれば、遊技者が操作可能な操作手段と、１の演出期間において、前記操作手段に対して予め定められた特定の操作内容の操作を行うことを促す演出態様を含む第１の演出態様を少なくとも含んで構成される所定の演出態様が複数回表示される特定演出を実行する特定演出実行手段と、前記第１の演出態様の表示中に前記操作手段に対して前記特定の操作内容の操作が行われたかを判別する判別手段と、その判別手段の判別結果に応じて、前記第１の演出態様の表示時間を少なくとも決定する表示時間決定手段と、前記所定の演出態様の表示中に前記第１の演出態様の表示時間が終了したことに基づいて、当該所定の演出態様の一部として第２の演出態様を表示させることが可能な第２演出態様表示手段と、１の前記特定演出において実行され得る全ての前記所定の演出態様が終了した後において、遊技者にとっての有利度合いを示すための所定の報知を行う報知手段と、その報知手段による前記所定の報知の種別として、前記所定の演出態様が終了したタイミングに応じた種別を決定する報知種別決定手段と、を備え、前記表示時間決定手段は、前記特定演出における所定のタイミングで実行された前記第１の演出態様の表示中に前記判別手段により前記特定の操作内容の操作が行われたと判別された状況下において、新たに表示させる前記第１の演出態様の表示時間として予め定められた第１表示時間を設定可能な手段と、前記特定演出における所定のタイミングで実行された前記第１の演出態様の表示中に前記判別手段により前記特定の操作内容の操作が行われたと判別されなかった状況下において、新たに表示させる前記第１の演出態様の表示時間として前記第１表示時間よりも長い第２表示時間を設定可能な手段と、を備えたものであり、前記所定の演出態様は、１の前記特定演出において表示され得る回数が前記特定演出の種別に応じて予め定められており、１の所定の演出態様に含まれる前記第１の演出態様の表示中に前記特定の操作内容の操作が行われたか否かによらず、前記１の所定の演出態様の表示が開始されてから終了されるまでの表示時間が共通となるように構成されており、前記特定演出は、前記特定演出の開始後における経過時間が予め定められた上限時間になったことに基づいて終了されるように構成されており、前記表示時間決定手段は、前回実行された前記特定演出における前記特定の操作内容の操作の実行状況に少なくともよらずに前記第１の演出態様の表示時間を決定可能に構成されている。
【手続補正５】
【補正対象書類名】明細書
【補正対象項目名】１１１０
【補正方法】変更
【補正の内容】
【１１１０】
１０                                  パチンコ機（遊技機）
２２ 枠ボタン（操作手段）
８１                                  第３図柄表示装置（表示手段）
Ｓ４１０２                            判別手段
Ｓ４２０３，Ｓ４２０９                終了条件判別手段の一部
Ｓ４２０５                            演出態様設定手段の一部
Ｓ４２１１                            第２演出態様表示手段
Ｓ４４０２                            特定演出実行手段
Ｓ４６０３                            終了条件判別手段の一部
Ｓ４６０７                            演出態様設定手段の一部
Ｓ４６１１                            演出終了手段の一部
Ｓ４７０５                            演出終了手段の一部
Ｓ５１０６                            表示時間決定手段の一部
Ｓ５１０９，Ｓ５１１５，Ｓ５１１８ 報知手段